(57)【要約】【課題】  可動部を移動させるための駆動中心と対物レンズの中心との間の寸法を短くして可動部の剛性を高め、高域の周波数帯における応答特性や感度を向上させることができ、光ピックアップ全体を小型，軽量化できる光ピックアップを提供する。【解決手段】  光ピックアップ１は主ヨーク部７と補助ヨーク部１４とを有している。主ヨーク部７には、フォーカスコイル８およびトラッキングコイル９との間でそれぞれ磁気回路部の一部を構成する第１の永久磁石１９が取付けられている。補助ヨーク部１４は、主ヨーク部７とは別体で構成されて磁気回路部の一部を構成するとともに、対物レンズ４に対して光を反射するための反射ミラー１０を保持するミラー保持部を兼用している。【選択図】    図２
2006252625.tif 000002
【特許請求の範囲】
【請求項１】
光ディスクの記録面上に光を集光させるための対物レンズが設けられ、前記光ディスクに対する前記対物レンズの位置を、フォーカスコイルおよび／またはトラッキングコイルへの通電による励磁により調整するように駆動される可動部と、
この可動部を移動可能に支持する複数の支持ワイヤと、
この支持ワイヤを支持する支持台と、
この支持台が取付けられ、前記フォーカスコイルおよび前記トラッキングコイルとの間でそれぞれ磁気回路部の一部を構成する第１の永久磁石が取付けられた主ヨーク部と、
この主ヨーク部とは別体で構成されて前記磁気回路部の一部を構成するとともに、前記対物レンズに対して光を反射するための反射ミラーを保持するミラー保持部を兼用した補助ヨーク部とを備えたことを特徴とする光ピックアップ。
【請求項２】
前記補助ヨーク部には、第２の永久磁石となる磁石またはそのヨークとなる磁性体からなり少なくとも前記コイルに対向するコイル対向部材を設けたことを特徴とする請求項１に記載の光ピックアップ。
【請求項３】
前記コイル対向部材を、前記反射ミラーの母材または前記ミラー支持部材の背面もしくは側面に配置したことを特徴とする請求項２に記載の光ピックアップ。
【請求項４】
前記反射ミラーの母材または前記反射ミラーを支持するミラー支持部材を、前記第２の永久磁石となる磁石により一体形成したことを特徴とする請求項１ないし３のいずれか１項に記載の光ピックアップ。
【請求項５】
前記反射ミラーの母材の斜面部を研磨してこの斜面部にミラー蒸着膜を蒸着することにより前記反射ミラーを形成したことを特徴とする請求項１ないし４のいずれか１項に記載の光ピックアップ。
【発明の詳細な説明】
【技術分野】
【０００１】
本発明は、光ディスクの記録面上に対物レンズで光を集光させて情報の記録，再生などを行う光ピックアップに関する。
【背景技術】
【０００２】
光ピックアップは、光ディスク再生装置および光ディスク記録再生装置など光ディスク装置（たとえば、ＤＶＤレコーダー，ＣＤプレーヤー）に使用される。光ディスク装置はＰＣ（パーソナルコンピューター）にも搭載されている。
光ピックアップは、記録媒体である光ディスクの記録面上に光たとえばレーザー光を集光させて情報の記録，再生などを行う装置である。光ピックアップは可動部を有しており、この可動部は、複数の支持ワイヤを介して支持台に支持されて移動可能である。
可動部は、通常は、レーザー光を集光させるための対物レンズと、光ディスクに対する対物レンズの位置を、通電による励磁により調整するためのフォーカスコイルおよびトラッキングコイルとを有している。
【０００３】
特許文献１（特開２００２−７４７０５号公報）には、対物レンズ駆動装置（本発明の光ピックアップに相当）が記載されている。図１１は、この従来技術と類似する技術にかかる光ピックアップの斜視図、図１２（Ａ）は、図１１に示す光ピックアップの平面図、図１２（Ｂ）は図１２（Ａ）のXII-XII線断面図である。
図１１，図１２に示すように、従来の光ピックアップ１０１において、対物レンズ１０２を保持した可動部１０３は、フォーカスコイル１０４とトラッキングコイル１０５を有している。可動部１０３は、支持ワイヤ１０６によって支持台１０７に移動可能に取付けられている。
支持台１０７が取付けられたヨーク基台１０８には、ヨーク１０９と永久磁石１１０，１１１が配設されて、フォーカスコイル１０４とトラッキングコイル１０５との間で磁気回路部を形成し、この磁気回路部に駆動されて、可動部１０３がフォーカス方向および／またはトラッキング方向に移動する。
【０００４】
対物レンズ１０２の下方には反射ミラー（特許文献１では、立ち上げプリズム）１１２が配置されている。反射ミラー１１２はヨーク基台１０８とは離れた位置に配置され、反射ミラー１１２とヨーク基台１０８との間には隙間ｄがある。
反射ミラー１１２は、光学系の光源で発生した光を反射して対物レンズ１０２を通して光ディスクに照射し、また、光ディスクからの反射光（光信号）を読み取り用の受光素子に伝達する。
【特許文献１】特開２００２−７４７０５号公報
【発明の開示】
【発明が解決しようとする課題】
【０００５】
上述の従来の光ピックアップ１０１では、可動部１０３は、対物レンズ１０２と、対物レンズ１０２を保持したレンズホルダ１１３と、フォーカスコイル１０４と、トラッキングコイル１０５とを有している。
可動部１０３を駆動するための磁気回路部を形成するヨーク１０９と永久磁石１１０，１１１は、すべてヨーク基台１０８側に配置されているので、反射ミラー１１２はヨーク基台１０８とは分離して配置されている。
【０００６】
このように、従来の光ピックアップ１０１では、ヨーク１０９と永久磁石１１０，１１１がすべてヨーク基台１０８側に配置されているので、可動部１０３を移動させるための駆動中心（駆動を発生する中心位置）Ｆ1と、対物レンズ１０２の中心（光軸Ｂ）との間の寸法Ｌが長くなってしまう。その結果、可動部１０３の剛性が低下し、高域の周波数帯における応答特性や感度が悪くなる恐れがあった。
また、ヨーク基台１０８には、各磁気回路部を形成する永久磁石１１０，１１１およびヨーク１０９が可動部１０３のコイル保持部の周辺に集中して配置されるので、光ピックアップ１０１全体の小型，軽量化が困難であった。
【０００７】
本発明は、このような課題を解決するためになされたもので、可動部を移動させるための駆動中心と対物レンズの中心との間の寸法を短くして可動部の剛性を高め、高域の周波数帯における応答特性や感度を向上させることができ、また、光ピックアップ全体を小型，軽量化することができる光ピックアップを提供することを目的とする。
【課題を解決するための手段】
【０００８】
上述の目的を達成するため、本発明にかかる光ピックアップは、光ディスクの記録面上に光を集光させるための対物レンズが設けられ、前記光ディスクに対する前記対物レンズの位置を、フォーカスコイルおよび／またはトラッキングコイルへの通電による励磁により調整するように駆動される可動部と、この可動部を移動可能に支持する複数の支持ワイヤと、この支持ワイヤを支持する支持台と、この支持台が取付けられ、前記フォーカスコイルおよび前記トラッキングコイルとの間でそれぞれ磁気回路部の一部を構成する第１の永久磁石が取付けられた主ヨーク部と、この主ヨーク部とは別体で構成されて前記磁気回路部の一部を構成するとともに、前記対物レンズに対して光を反射するための反射ミラーを保持するミラー保持部を兼用した補助ヨーク部とを備えている。
好ましい一実施態様として、前記補助ヨーク部には、第２の永久磁石となる磁石またはそのヨークとなる磁性体からなり少なくとも前記コイルに対向するコイル対向部材を設けている。
たとえば、前記コイル対向部材を、前記反射ミラーの母材または前記ミラー支持部材の背面もしくは側面に配置するのが好ましい。
前記反射ミラーの母材または前記反射ミラーを支持するミラー支持部材を、前記第２の永久磁石となる磁石により一体形成するのが好ましい。
好ましい一実施態様として、前記反射ミラーの母材の斜面部を研磨してこの斜面部にミラー蒸着膜を蒸着することにより前記反射ミラーを形成している。
たとえば、前記補助ヨーク部と前記主ヨーク部は、互いに接続してまたは分離して設けられている。
【発明の効果】
【０００９】
本発明の光ピックアップは、上述のように構成したので、可動部を移動させるための駆動中心と対物レンズの中心との間の寸法を短くして可動部の剛性を高め、高域の周波数帯における応答特性や感度を向上させることができ、また、光ピックアップ全体を小型，軽量化することができる。
【発明を実施するための最良の形態】
【００１０】
光ピックアップには、対物レンズが可動部の中央部に配置された「レンズセンタータイプ」のものと、対物レンズが可動部の中央部より一方側に偏心して配置された「レンズオフセットタイプ」のものとがある。
近年のＰＣの小型化，ポータブルタイプの普及などにより、光ディスク装置の小型化も急務になっている。そのため、光ディスク装置に搭載される光ピックアップに関しても、それ自体の小型化，薄型化，軽量化の要求がますます厳しくなってきている。
上述のレンズセンタータイプの光ピックアップと比べて、レンズオフセットタイプの光ピックアップは、対物レンズの下部にスペースがある。したがって、この下部スペースに光学系の反射ミラーなどを配置することができるので、薄型化の点では、レンズオフセットタイプの光ピックアップの方が有利である。
特許文献１には、このレンズオフセットタイプの対物レンズ駆動装置（本発明の光ピックアップに相当）が記載されている。
【００１１】
従来のレンズオフセットタイプの光ピックアップでは、ヨーク基台に二つの永久磁石とそれぞれのヨークとをヨーク部に設けていた。その結果、可動部を移動させるための駆動中心と対物レンズの中心との間の寸法が長くなっていた。
これに対して、下記の各実施例にかかるレンズオフセットタイプの光ピックアップでは、フォーカスコイルおよびトラッキングコイルとの間でそれぞれ磁気回路部の一部を構成する第１の永久磁石が取付けられた主ヨーク部と、この主ヨーク部とは別体で構成されて磁気回路部の一部を構成するとともに、対物レンズに対して光を反射するための反射ミラーを保持するミラー保持部を兼用した補助ヨーク部とが設けられている。
【００１２】
すなわち、従来は、全部の永久磁石とその各ヨークがヨーク部に設けられていたのに対して、本発明では、第１に、磁気回路部を構成するヨーク部を主ヨーク部と補助ヨーク部とに分割し、第２に、この補助ヨーク部は反射ミラーを保持するミラー保持部（ミラー立ち上げ部）を兼用するという二点がポイントである。その結果、主ヨーク部では、ここに従来設けられていた一つの永久磁石とそのヨークとが占めていたスペースが不要になる。
これにより、可動部を移動させるための駆動中心が対物レンズの中心に近づくことになって、駆動中心と対物レンズの中心との間の寸法が短くなる。したがって、可動部の剛性が高くなり、高域の周波数帯における応答特性や感度が向上する。
従来は、ヨーク基台と反射ミラーとの間に隙間があったが、下記の実施例では、主ヨーク部と補助ヨーク部との間には隙間がないかまたはごく小さな隙間ですむことになり、また上述の寸法が短くなるので、光ピックアップの全体が小型，軽量化する。
【実施例】
【００１３】
以下、本発明にかかる実施例を、図１ないし図１０を参照して説明する。
（第１の実施例）
まず初めに、第１の実施例について図１，図２を参照して説明する。
図１は、第１の実施例にかかる光ピックアップの斜視図、図２（Ａ）は、図１に示す光ピックアップの平面図、図２（Ｂ）は、図２（Ａ）のII−II線断面図である。
図１，図２に示すように、光ピックアップ１は可動部２を備えている。可動部２には、フォーカスコイル８およびトラッキングコイル９と、記録媒体である光ディスクの記録面（表面）上にレーザー光などの光を集光させるための対物レンズ４とが設けられている。フォーカスコイル８および／またはトラッキングコイル９への通電による励磁により可動部２を駆動して、光ディスクに対する対物レンズ４の位置を調整することができる。
光ディスク３としては、ＤＶＤ−ＲＯＭ，ＤＶＤ−ＲＡＭ，ＤＶＤ−Ｒ，ＤＶＤ−ＲＷ，ＣＤ，ＣＤ−ＲＯＭ，ＣＤ−Ｒ，ＣＤ−ＲＷ，ＭＤ，ＭＯなどがある。
【００１４】
なお、説明の便宜上、対物レンズ４の光軸Ｂと平行な方向すなわちフォーカス方向をＸ方向とし、特に、光ディスクの方向を上方向とする。このＸ方向と直交する方向（光ディスクの半径方向）すなわちトラッキング方向をＺ方向とし、Ｘ方向およびＺ方向の両方向と直交する方向をＹ方向とする。
光ピックアップ１は、対物レンズ４が可動部２の中央部より一方側に偏心して配置された「レンズオフセットタイプ」の光ピックアップである。これは、第２の実施例ないし第５の実施例の光ピックアップ１ａ〜１ｄにおいても同じである。
【００１５】
光ピックアップ１は、可動部２を移動可能に支持する複数の支持ワイヤ５と、支持ワイヤ５を支持する支持台６と、主ヨーク部（主継鉄部）７と、補助ヨーク部（補助継鉄部）１４とを備えている。補助ヨーク部１４には、対物レンズ４に対して光を反射するための反射ミラー（いわゆる、立ち上げミラー）１０が設けられている。
支持ワイヤ５は、可動部２の両端にＹ方向とほぼ平行にそれぞれ二本ずつ合計四本設けられている。互いにほぼ平行な四本の支持ワイヤ５は、その一端部（支持台６から遠い方の端部）が可動部２側に固定され、他端部が支持台６側に固定されている。
【００１６】
支持台６は、磁性体からなる主ヨーク部７に取付けられている。支持台６に支持された四本の支持ワイヤ５は、可動部２を移動可能に支持している。
フォーカスコイル８およびトラッキングコイル９との間でそれぞれ磁気回路部の一部を構成する第１の永久磁石１９が、主ヨーク部７の主ヨーク７ａに取付けられている。主ヨーク７ａは、主ヨーク部７の主ヨーク基台７ｂに取付けられている。フォーカスコイル８とトラッキングコイル９は、第１の永久磁石１９による磁束がそれぞれ鎖交するように配置されている。
磁気回路部の一部を構成しているフォーカスコイル８，トラッキングコイル９，主ヨーク部７および第１の永久磁石１９は、可動部２を移動させるための駆動部１１を構成している。
【００１７】
光ピックアップ１は光学系を有している。この光学系は、レーザー光を発生する半導体レーザーなど光源，反射ミラー１０，レンズ，回折格子および光検出器などを有している。対物レンズ４もこの光学系に含まれる。
反射ミラー１０の反射面は、対物レンズ４に対向してスペースＳＰに配置されている。光検出器は、光ディスクの記録面で反射したレーザー光を受光し、再生信号を検出するとともにエラー信号なども検出する。
【００１８】
光ピックアップ１では、第１に、磁気回路部を構成するヨーク部を、主ヨーク部７と補助ヨーク部１４とに分割し、第２に、この補助ヨーク部１４が、対物レンズ４に対して光を反射するための反射ミラー１０を保持するミラー保持部（ミラー立ち上げ部）を兼用している。
補助ヨーク部１４は、主ヨーク部７とは別体で構成されて磁気回路部の一部を構成している。補助ヨーク部１４には、磁気回路部の一部を構成する第２の永久磁石とそのヨークが設けられている。
主ヨーク部７の第１の永久磁石１９およびそのヨーク７ａと、フォーカスコイル８およびトラッキングコイル９と、補助ヨーク部１４に設けられた第２の永久磁石およびそのヨークとにより、対向磁気回路部が構成されている。
【００１９】
フォーカスコイル８に通電して励磁し、可動部２をフォーカス方向に移動させるときに、可動部２に対してフォーカス方向に作用する駆動（フォーカス駆動）の中心となる位置が、フォーカス駆動中心位置である。
一方、トラッキングコイル９に通電して励磁し、可動部２をトラッキング方向に移動させるときに、可動部２に対してトラッキング方向に作用する駆動（トラッキング駆動）の中心となる位置が、トラッキング駆動中心位置である。
上述のフォーカス駆動中心位置とトラッキング駆動中心位置の両方を代表する位置を、可動部２を移動させるための駆動中心Ｆ1としている。
【００２０】
本発明では、可動部２を移動させるための駆動中心Ｆ1と、対物レンズ４の中心（光軸Ｂ）との間の寸法Ｌを短くして、可動部２の剛性を高めている。その結果、高域の周波数帯（高周波数域）における応答特性や感度を向上させることができ、また、光ピックアップ１の全体を小型，軽量化することができる。
補助ヨーク部１４は、光ピックアップ１の基台となるピックアップベース２０に固定されている。このピックアップベース２０には他の光学系も配置されているので、反射ミラー１０で反射して対物レンズ４に入射する光の光軸を高精度に設定することができる。
【００２１】
可動部２に設けられたフォーカスコイル８とトラッキングコイル９には、支持ワイヤ５を介してそれぞれ電流が供給される。フォーカスコイル８に電流を流せば、可動部２をフォーカス方向（対物レンズ４の光軸Ｂと平行な方向（Ｘ方向、すなわち上下方向））に移動させることができる。トラッキングコイル９に電流を流せば、可動部２をトラッキング方向（光ディスクの半径方向（Ｚ方向））に移動させることができる。
光ディスク装置（図示せず）に使用される光ピックアップ１は、移動機構（図示せず）により、光ディスクの半径方向に制御されつつ移動可能になっている。光ディスク装置は、光ディスクを駆動モータで回転駆動するとともに、移動機構で所望の位置に光ピックアップ１を移動させる。
そして、光ピックアップ１は、光ディスクの記録面上に対物レンズ４で光（たとえば、レーザー光）を集光させて、光ディスクに対して情報の記録，再生などを行う。
【００２２】
可動部２は本体部１６を有しており、本体部１６は、絶縁性を有する合成樹脂材などで所定形状に一体形成されている。対物レンズ４，フォーカスコイル８およびトラッキングコイル９などは、本体部１６の所定位置に取付けられている。
本体部１６は、対物レンズ４を支持するレンズ支持部１７と、コイル８，９を支持し、平面視でほぼ矩形のコイル支持部１８とを有している。コイル支持部１８の内方には、一つのフォーカスコイル８と、Ｚ方向に並んだ一対のトラッキングコイル９とが設けられている。
【００２３】
可動部２は、四本の支持ワイヤ５を介して、支持台６と主ヨーク部７との間の空間に浮いている格好で取付けられている。したがって、可動部２は、移動や揺動などの動作を行なって、可動部２の状態（可動部２の位置，姿勢など）を自在に変化させることができる。
可動部２は、フォーカスコイル８とトラッキングコイル９に電流が供給されていないときの基本位置から、フォーカスコイル８とトラッキングコイル９の一方または両方に電流を供給することにより、上下方向（Ｘ方向）や左右方向（Ｚ方向）に移動（シフト）することができる。
【００２４】
支持ワイヤ５が接続されるプリント配線板１３が、支持台６に固着されている。プリント配線板１３には、支持ワイヤ５を係合させるための複数（ここでは、四つ）の孔が所定位置に穿設されている。支持台６の所定位置には、支持ワイヤ５を貫通させるための複数（ここでは、四つ）の貫通孔が穿設されている。
支持ワイヤ５の他端部またはその近傍は、プリント配線板１３の孔を通ってプリント配線板１３に電気的に接続されるとともに、支持台６側に固定されている。支持ワイヤ５の一端部またはその近傍は、可動部２の支持片１２に固定されるとともに、フォーカスコイル８またはトラッキングコイル９に電気的に接続されている。
フォーカスコイル８と二つのトラッキングコイル９は、支持ワイヤ５と、この支持ワイヤ５が電気的に接続されたプリント配線板１３とを介して、制御部（図示せず）に電気的に接続されている。
【００２５】
反射ミラー１０を支持する補助ヨーク部１４は、主ヨーク部７とは別体で構成されており、補助ヨーク部１４と主ヨーク部７が、互いに接続して設けられている場合を示している。
補助ヨーク部１４を主ヨーク部７に接続すれば、補助ヨーク部１４の第２の永久磁石やそのヨークを、主ヨーク部７の第１の永久磁石１９やヨーク７ａなどに近づけて配置できるので、磁気回路部の磁力が大きくなる。
第２の永久磁石とそのヨークを、補助ヨーク部１４に設けたので、第２の永久磁石とそのヨークのサイズを大きくすることができ、磁気回路部が強い磁力を発生する。
【００２６】
補助ヨーク部１４は、磁性体により形成された補助ヨーク基台２１を有しており、補助ヨーク基台２１がピックアップベース２０に取付けられている。補助ヨーク基台２１により、反射ミラー１０が支持されている。
補助ヨーク部１４には、コイル対向部材２３が設けられている。コイル対向部材２３は、少なくともコイル（コイル８，９のいずれか一方または両方であり、ここでは、トラッキングコイル９）に対向している。コイル対向部材２３は、第２の永久磁石となる磁石、またはそのヨークとなる磁性体からなっている。
補助ヨーク部１４において、反射ミラー１０を支持するミラー支持部材２２を、ヨークとなる磁性体または第２の永久磁石となる磁石により一体形成している。なお、コイル対向部材２３を磁石により構成し、ミラー支持部材２２を磁性体により構成すれば、感度が向上するので好ましい。
こうして、本来は主ヨーク部７に設けるべき二つの永久磁石とそのヨークのうち、一つの永久磁石とそのヨークを、補助ヨーク部１４に配置換えすることができる。
【００２７】
コイル対向部材２３は、反射ミラー１０のミラー支持部材２２の背面（主ヨーク部７に対向する面）２４に配置されている。このようにすれば、磁石または磁性体からなるコイル対向部材２３を、トラッキングコイル９に対して極めて近づけて配置するかまたは大型化できるので、強い磁力を発生する磁気回路部になる。なお、コイル対向部材２３がミラー支持部材２２の側面２５に配置されている場合であってもよい。
本実施例の補助ヨーク部１４は、側面視で直角三角形のミラー支持部材２２の斜面に板状の反射ミラー１０を固着した場合を示している。そして、ミラー支持部材２２とコイル対向部材２３は、それぞれ磁石または磁性体により形成され、両方の部材２２，２３により第２の永久磁石とそのヨークを構成して、その一方または両方が、補助ヨーク基台２１に固着されている。
【００２８】
次に、光ピックアップ１の動作について説明する。なお、この動作は、第２の実施例ないし第５の実施例の光ピックアップ１ａ〜１ｄにおいてもほぼ同じである。
まず、光ディスク装置において、光ディスクが駆動モータにより回転駆動されている状態で、移動機構により光ピックアップ１を所望の位置に移動させる。そして、光学系で発生したレーザー光を、反射ミラー１０で反射させ対物レンズ４で記録面上に集光させて、光ディスクに対して情報の記録，再生などを行う。
光ピックアップ１の状態（可動部２の位置，姿勢など）を制御する場合には、光検出器で検出された光ディスクの光信号を変換部で電気信号に変換し、制御部に電気信号（エラー信号など）として出力する。
制御部は、変換部から出力された電気信号に基づいて、フォーカスコイル８に流す電流とトラッキングコイル９に流す電流をそれぞれ制御する。
【００２９】
対物レンズ４をフォーカス方向（Ｘ方向）に移動させる場合には、制御部は、対物レンズ４の移動すべき方向および移動量に応じた制御電流を、支持ワイヤ５を介してフォーカスコイル８に供給する。すると、通電により励磁されたフォーカスコイル８により生じる電磁力により、可動部２が光ディスク３に対してフォーカス方向（Ｘ方向）に移動（シフト）して、対物レンズ４の位置を調整する。
同様に、制御部が、対物レンズ４の移動すべきトラッキング方向および移動量に応じた制御電流を、支持ワイヤ５を介して二つのトラッキングコイル９に供給する。すると、通電により励磁されたトラッキングコイル９により生じる電磁力により、可動部２が光ディスクに対してトラッキング方向（Ｚ方向）に移動（シフト）して、対物レンズ４の位置を調整する。
このようにして、可動部２は、フォーカス方向および／またはトラッキング方向に移動するようにその位置が制御される。
【００３０】
（第２〜第５の実施例）
次に、第２の実施例ないし第５の実施例にかかる光ピックアップ１ａ〜１ｄについて説明する。なお、第１の実施例と同一または相当部分には同一符号を付してその説明を省略し、異なる部分のみ説明する。
図３は、第２の実施例にかかる光ピックアップ１ａの斜視図、図４（Ａ）は、図３に示す光ピックアップ１ａの平面図、図４（Ｂ）は図４（Ａ）のIV−IV線断面図である。
図５は、第３の実施例にかかる光ピックアップ１ｂの斜視図、図６（Ａ）は、図５に示す光ピックアップ１ｂの平面図、図６（Ｂ）は図６（Ａ）のVI−VI線断面図である。
図７は、第４の実施例にかかる光ピックアップ１ｃの斜視図、図８（Ａ）は、図７に示す光ピックアップ１ｃの平面図、図８（Ｂ）は図８（Ａ）のVIII−VIII線断面図である。
図９は、第５の実施例にかかる光ピックアップ１ｄの斜視図、図１０（Ａ）は、図９に示す光ピックアップ１ｄの平面図、図１０（Ｂ）は図１０（Ａ）のＸ−Ｘ線断面図である。
【００３１】
第２の実施例について図３，図４を参照して説明する。
図３，図４に示す第２の実施例において、光ピックアップ１ａは可動部２を備え、可動部２には、フォーカスコイル８およびトラッキングコイル９と、対物レンズ４とが設けられている。フォーカスコイル８および／またはトラッキングコイル９への通電による励磁により可動部２を駆動して、光ディスクに対する対物レンズ４の位置を調整することができる。
光ピックアップ１ａは、可動部２を移動可能に支持する複数の支持ワイヤ５と、支持台６と、主ヨーク部７と、補助ヨーク部（補助継鉄部）１４ａとを備えている。補助ヨーク部１４ａには、対物レンズ４に対して光を反射するための反射ミラー（いわゆる、立ち上げミラー）１０ａが設けられている。
【００３２】
支持台６に支持された四本の支持ワイヤ５は、可動部２を移動可能に支持している。フォーカスコイル８およびトラッキングコイル９との間でそれぞれ磁気回路部の一部を構成する第１の永久磁石１９が、主ヨーク部７の主ヨーク７ａに取付けられている。主ヨーク７ａは、主ヨーク部７の主ヨーク基台７ｂに取付けられている。フォーカスコイル８とトラッキングコイル９は、第１の永久磁石１９による磁束がそれぞれ鎖交するように配置されている。
磁気回路部の一部を構成しているフォーカスコイル８，トラッキングコイル９，主ヨーク部７および第１の永久磁石１９は、可動部２を移動させるための駆動部１１を構成している。
光ピックアップ１ａは光学系を有しており、この光学系は、光源，反射ミラー１０ａ，レンズ（対物レンズ４など），回折格子および光検出器などを有している。反射ミラー１０ａの反射面は、対物レンズ４に対向してスペースＳＰに配置されている。
【００３３】
光ピックアップ１ａでは、第１に、磁気回路部を構成するヨーク部を、主ヨーク部７と補助ヨーク部１４ａとに分割し、第２に、この補助ヨーク部１４ａが、対物レンズ４に対して光を反射するための反射ミラー１０ａを保持するミラー保持部を兼用している。
補助ヨーク部１４ａは、主ヨーク部７とは別体で構成されて磁気回路部の一部を構成している。補助ヨーク部１４ａには、磁気回路部の一部を構成する第２の永久磁石とそのヨークが設けられている。
主ヨーク部７の第１の永久磁石１９およびそのヨーク７ａと、フォーカスコイル８およびトラッキングコイル９と、補助ヨーク部１４ａに設けられた第２の永久磁石およびそのヨークとにより、対向磁気回路部が構成されている。
【００３４】
フォーカスコイル８に通電して励磁し、可動部２をフォーカス方向に移動させるときに、可動部２に対してフォーカス方向に作用する駆動（フォーカス駆動）の中心となる位置が、フォーカス駆動中心位置である。
一方、トラッキングコイル９に通電して励磁し、可動部２をトラッキング方向に移動させるときに、可動部２に対してトラッキング方向に作用する駆動（トラッキング駆動）の中心となる位置が、トラッキング駆動中心位置である。
上述のフォーカス駆動中心位置とトラッキング駆動中心位置の両方を代表する位置を、可動部２を移動させるための駆動中心Ｆ1としている。
【００３５】
本発明では、可動部２を移動させるための駆動中心Ｆ1と、対物レンズ４の中心（光軸Ｂ）との間の寸法Ｌを短くして、可動部２の剛性を高めている。その結果、高域の周波数帯における応答特性や感度を向上させることができ、また、光ピックアップ１ａの全体を小型，軽量化することができる。
補助ヨーク部１４ａは、光ピックアップ１ａの基台となるピックアップベース２０に固定されている。このピックアップベース２０には他の光学系も配置されているので、反射ミラー１０ａで反射して対物レンズ４に入射する光の光軸を高精度に設定することができる。
フォーカスコイル８とトラッキングコイル９には、支持ワイヤ５を介してそれぞれ電流が供給される。フォーカスコイル８に電流を流せば、可動部２をフォーカス方向に移動させることができる。トラッキングコイル９に電流を流せば、可動部２をトラッキング方向に移動させることができる。
【００３６】
光ディスク装置（図示せず）に使用される光ピックアップ１ａは、移動機構（図示せず）により、光ディスクの半径方向に制御されつつ移動可能になっている。光ディスク装置は、光ディスクを駆動モータで回転駆動するとともに、移動機構で所望の位置に光ピックアップ１ａを移動させる。
そして、光ピックアップ１ａは、光ディスクの記録面上に対物レンズ４で光（たとえば、レーザー光）を集光させて、光ディスクに対して情報の記録，再生などを行う。
【００３７】
反射ミラー１０ａを支持する補助ヨーク部１４ａは、主ヨーク部７とは別体で構成されており、補助ヨーク部１４ａと主ヨーク部７が、互いに接続して設けられている場合を示している。
補助ヨーク部１４ａが主ヨーク部７に接続されており、補助ヨーク部１４ａの第２の永久磁石やそのヨークを、主ヨーク部７の第１の永久磁石１９やヨーク７ａなどに近づけて配置できるので、磁気回路部の磁力が大きくなる。
第２の永久磁石とそのヨークを、補助ヨーク部１４ａに設けることにより、第２の永久磁石とそのヨークのサイズを大きくすることができ、磁気回路部が強い磁力を発生する。
【００３８】
補助ヨーク部１４ａは補助ヨーク基台２１を有しており、この補助ヨーク基台２１がピックアップベース２０に取付けられている。補助ヨーク基台２１により、反射ミラー１０ａが支持されている。
補助ヨーク部１４ａには、コイル対向部材２３が設けられている。コイル対向部材２３は、少なくともコイル（コイル８，９のいずれか一方または両方であり、ここでは、トラッキングコイル９）に対向している。コイル対向部材２３は、第２の永久磁石となる磁石、またはそのヨークとなる磁性体からなっている。
補助ヨーク部１４ａにおいて、反射ミラー１０ａの母材を、ヨークとなる磁性体または第２の永久磁石となる磁石により一体形成している。なお、コイル対向部材２３を磁石により構成し、反射ミラー１０ａの母材を磁性体により構成すれば、感度が向上するので好ましい。
こうして、本来は主ヨーク部７に設けるべき二つの永久磁石とそのヨークのうち、一つの永久磁石とそのヨークを、補助ヨーク部１４ａに配置換えすることができる。
【００３９】
コイル対向部材２３は、反射ミラー１０ａの母材の背面（主ヨーク部７に対向する面）２４に配置されている。このようにすれば、磁石または磁性体からなるコイル対向部材２３を、トラッキングコイル９に対して極めて近づけて配置するかまたは大型化できるので、強い磁力を発生する磁気回路部になる。なお、コイル対向部材２３が、反射ミラー１０ａの母材の側面２５に配置されている場合であってもよい。
補助ヨーク部１４ａの反射ミラー１０ａは、側面視で直角三角形をなしており、全体がガラスまたは合成樹脂により一体形成され、その傾斜面が反射面になっている。コイル対向部材２３は、磁石により形成されて第２の永久磁石を構成している。
補助ヨーク基台２１は、磁性体により形成されて、第２の永久磁石のヨークとなっている。反射ミラー１０ａとコイル対向部材２３の一方または両方が、補助ヨーク基台２１に固着されている。
【００４０】
第３の実施例について図５，図６を参照して説明する。
図５，図６に示すように、光ピックアップ１ｂは可動部２を備え、可動部２には、フォーカスコイル８およびトラッキングコイル９と、対物レンズ４とが設けられている。フォーカスコイル８および／またはトラッキングコイル９への通電による励磁により可動部２を駆動して、光ディスクに対する対物レンズ４の位置を調整することができる。
光ピックアップ１ｂは、可動部２を移動可能に支持する複数の支持ワイヤ５と、支持台６と、主ヨーク部７と、補助ヨーク部（補助継鉄部）１４ｂとを備えている。補助ヨーク部１４ｂには、対物レンズ４に対して光を反射するための反射ミラー（いわゆる、立ち上げミラー）１０ｂが設けられている。
光ピックアップ１ｂは光学系を有しており、この光学系は、光源，反射ミラー１０ｂ，レンズ（対物レンズ４など），回折格子および光検出器などを有している。反射ミラー１０ｂの反射面は、対物レンズ４に対向してスペースＳＰに配置されている。
【００４１】
光ピックアップ１ｂでは、第１に、磁気回路部を構成するヨーク部を、主ヨーク部７と補助ヨーク部１４ｂとに分割し、第２に、この補助ヨーク部１４ｂが、反射ミラー１０ｂを保持するミラー保持部を兼用している。
補助ヨーク部１４ｂは、主ヨーク部７とは別体で構成されて磁気回路部の一部を構成している。補助ヨーク部１４ｂには、磁気回路部の一部を構成する第２の永久磁石とそのヨークが設けられている。
主ヨーク部７の第１の永久磁石１９およびそのヨーク７ａと、フォーカスコイル８およびトラッキングコイル９と、補助ヨーク部１４ｂに設けられた第２の永久磁石およびそのヨークとにより、対向磁気回路部が構成されている。
【００４２】
フォーカスコイル８に通電して励磁し、可動部２をフォーカス方向に移動させるときに、可動部２に対してフォーカス方向に作用する駆動（フォーカス駆動）の中心となる位置が、フォーカス駆動中心位置である。
一方、トラッキングコイル９に通電して励磁し、可動部２をトラッキング方向に移動させるときに、可動部２に対してトラッキング方向に作用する駆動（トラッキング駆動）の中心となる位置が、トラッキング駆動中心位置である。
上述のフォーカス駆動中心位置とトラッキング駆動中心位置の両方を代表する位置を、可動部２を移動させるための駆動中心Ｆ1としている。
【００４３】
本発明では、可動部２を移動させるための駆動中心Ｆ1と、対物レンズ４の中心（光軸Ｂ）との間の寸法Ｌを短くして、可動部２の剛性を高めている。その結果、高域の周波数帯における応答特性や感度を向上させることができ、また、光ピックアップ１ｂの全体を小型，軽量化することができる。
補助ヨーク部１４ｂは、光ピックアップ１ｂの基台となるピックアップベース２０に固定されている。このピックアップベース２０には他の光学系も配置されているので、反射ミラー１０ｂで反射して対物レンズ４に入射する光の光軸を高精度に設定することができる。
【００４４】
可動部２に設けられたフォーカスコイル８とトラッキングコイル９には、支持ワイヤ５を介してそれぞれ電流が供給される。フォーカスコイル８に電流を流せば、可動部２をフォーカス方向に移動させることができる。トラッキングコイル９に電流を流せば、可動部２をトラッキング方向に移動させることができる。
光ディスク装置（図示せず）に使用される光ピックアップ１ｂは、移動機構（図示せず）により、光ディスクの半径方向に制御されつつ移動可能になっている。光ディスク装置は、光ディスクを駆動モータで回転駆動するとともに、移動機構で所望の位置に光ピックアップ１ｂを移動させる。
そして、光ピックアップ１ｂは、光ディスクの記録面上に対物レンズ４で光（たとえば、レーザー光）を集光させて、光ディスクに対して情報の記録，再生などを行う。
【００４５】
反射ミラー１０ｂを支持する補助ヨーク部１４ｂは、主ヨーク部７とは別体で構成されており、補助ヨーク部１４ｂと主ヨーク部７が、互いに接続して設けられている場合を示している。
補助ヨーク部１４ｂが主ヨーク部７に接続されており、補助ヨーク部１４ｂの第２の永久磁石やそのヨークを、主ヨーク部７の第１の永久磁石１９やヨーク７ａなどに近づけて配置できるので、磁気回路部の磁力が大きくなる。
第２の永久磁石とそのヨークを、補助ヨーク部１４ｂに設けることにより、第２の永久磁石とそのヨークのサイズを大きくすることができ、磁気回路部が強い磁力を発生する。
【００４６】
補助ヨーク部１４ｂは補助ヨーク基台２１を有しており、この補助ヨーク基台２１がピックアップベース２０に取付けられている。補助ヨーク基台２１により、反射ミラー１０ｂが支持されている。
補助ヨーク部１４ｂでは、反射ミラー１０ｂを支持するミラー支持部材２２を、第２の永久磁石となる磁石により一体形成している。また、補助ヨーク部１４ｂの補助ヨーク基台２１が、磁性体により形成されている。
こうして、本来は主ヨーク部７に設けるべき二つの永久磁石とそのヨークのうち、一つの永久磁石とそのヨークを、補助ヨーク部１４ｂに配置換えすることができる。
【００４７】
補助ヨーク部１４ｂでは、側面視で直角三角形をなす反射ミラーの母材の斜面部を研磨し、この斜面部にミラー蒸着膜を蒸着することにより、反射ミラー１０ｂを形成している。この反射ミラー母材が、反射ミラー１０ｂを支持するミラー支持部材２２に相当することになる。
この補助ヨーク部１４ｂではコイル対向部材を使用していないので、ミラー支持部材２２（すなわち、反射ミラー母材）は、磁石からなる第２の永久磁石を構成して、補助ヨーク基台２１に固着されている。補助ヨーク基台２１は、磁性体により形成されて第２の永久磁石のヨークになっている。
コイル対向部材を省略しているので、補助ヨーク部１４ｂの部品点数が少なくなって構成を簡素化できる。
【００４８】
第４の実施例について図７，図８を参照して説明する。
図７，図８に示すように、光ピックアップ１ｃは可動部２を備え、可動部２には、フォーカスコイル８およびトラッキングコイル９と、対物レンズ４とが設けられている。フォーカスコイル８および／またはトラッキングコイル９への通電による励磁により可動部２を駆動して、光ディスクに対する対物レンズ４の位置を調整することができる。
【００４９】
光ピックアップ１ｃは、可動部２を移動可能に支持する複数の支持ワイヤ５と、支持台６と、主ヨーク部７と、補助ヨーク部（補助継鉄部）１４ａとを備えている。補助ヨーク部１４ａには、対物レンズ４に対して光を反射するための反射ミラー（いわゆる、立ち上げミラー）１０ａが設けられている。
光ピックアップ１ｃは光学系を有しており、この光学系は、光源，反射ミラー１０ａ，レンズ（対物レンズ４など），回折格子および光検出器などを有している。反射ミラー１０ａの反射面は、対物レンズ４に対向してスペースＳＰに配置されている。
【００５０】
光ピックアップ１ｃでは、第１に、磁気回路部を構成するヨーク部を、主ヨーク部７と補助ヨーク部１４ａとに分割し、第２に、この補助ヨーク部１４ａが、反射ミラー１０ａを保持するミラー保持部を兼用している。
補助ヨーク部１４ａは、主ヨーク部７とは別体で構成されて磁気回路部の一部を構成している。補助ヨーク部１４ａには、磁気回路部の一部を構成する第２の永久磁石とそのヨークが設けられている。
主ヨーク部７の第１の永久磁石１９およびそのヨーク７ａと、フォーカスコイル８およびトラッキングコイル９と、補助ヨーク部１４ａに設けられた第２の永久磁石およびそのヨークとにより、対向磁気回路部が構成されている。
【００５１】
フォーカスコイル８に通電して励磁し、可動部２をフォーカス方向に移動させるときに、可動部２に対してフォーカス方向に作用する駆動（フォーカス駆動）の中心となる位置が、フォーカス駆動中心位置である。
一方、トラッキングコイル９に通電して励磁し、可動部２をトラッキング方向に移動させるときに、可動部２に対してトラッキング方向に作用する駆動（トラッキング駆動）の中心となる位置が、トラッキング駆動中心位置である。
上述のフォーカス駆動中心位置とトラッキング駆動中心位置の両方を代表する位置を、可動部２を移動させるための駆動中心Ｆ1としている。
【００５２】
本発明では、可動部２を移動させるための駆動中心Ｆ1と、対物レンズ４の中心（光軸Ｂ）との間の寸法Ｌを短くして、可動部２の剛性を高めている。その結果、高域の周波数帯における応答特性や感度を向上させることができ、また、光ピックアップ１ｃの全体を小型，軽量化することができる。
補助ヨーク部１４ａは、光ピックアップ１ｃの基台となるピックアップベース２０に固定されている。このピックアップベース２０には他の光学系も配置されているので、反射ミラー１０ａで反射して対物レンズ４に入射する光の光軸を高精度に設定することができる。
【００５３】
可動部２に設けられたフォーカスコイル８とトラッキングコイル９には、支持ワイヤ５を介してそれぞれ電流が供給される。フォーカスコイル８に電流を流せば、可動部２をフォーカス方向に移動させることができる。トラッキングコイル９に電流を流せば、可動部２をトラッキング方向に移動させることができる。
光ディスク装置（図示せず）に使用される光ピックアップ１ｃは、移動機構（図示せず）により、光ディスクの半径方向に制御されつつ移動可能になっている。光ディスク装置は、光ディスクを駆動モータで回転駆動するとともに、移動機構で所望の位置に光ピックアップ１ｃを移動させる。
そして、光ピックアップ１ｃは、光ディスクの記録面上に対物レンズ４で光（たとえば、レーザー光）を集光させて、光ディスクに対して情報の記録，再生などを行う。
【００５４】
反射ミラー１０ａを支持する補助ヨーク部１４ａは、主ヨーク部７とは別体で構成されており、補助ヨーク部１４ａと主ヨーク部７が、互いに分離して設けられている場合を示している。
補助ヨーク部１４ａを主ヨーク部７から分離して遮断しており、主ヨーク部７の可動部２の移動動作による振動などが補助ヨーク部１４ａに直接伝わらないので、補助ヨーク部１４ａに設けられた反射ミラー１０ａやその他の光学系に悪影響を及ぼす恐れがない。
第２の永久磁石とそのヨークを補助ヨーク部１４ａに設けることにより、第２の永久磁石とそのヨークのサイズを大きくすることができ、磁気回路部が強い磁力を発生する。
【００５５】
補助ヨーク部１４ａは、磁性体により形成された補助ヨーク基台２１を有しており、この補助ヨーク基台２１がピックアップベース２０に取付けられている。補助ヨーク基台２１により、反射ミラー１０ａが支持されている。
補助ヨーク部１４ａには、コイル対向部材２３が設けられている。コイル対向部材２３は、少なくともコイル（コイル８，９のいずれか一方または両方であり、ここでは、トラッキングコイル９）に対向している。コイル対向部材２３は、第２の永久磁石となる磁石、またはそのヨークとなる磁性体からなっている。
補助ヨーク部１４ａにおいて、反射ミラー１０ａの母材を、ヨークとなる磁性体または第２の永久磁石となる磁石により一体形成している。なお、コイル対向部材２３を磁石により構成し、反射ミラー１０ａの母材を磁性体により構成すれば、感度が向上するので好ましい。
こうして、本来は主ヨーク部７に設けるべき二つの永久磁石とそのヨークのうち、一つの永久磁石とそのヨークを、補助ヨーク部１４ａに配置換えすることができる。
【００５６】
コイル対向部材２３は、反射ミラー１０ａの母材の背面（主ヨーク部７に対向する面）２４に配置されている。このようにすれば、磁石または磁性体からなるコイル対向部材２３を、トラッキングコイル９に対して極めて近づけて配置するかまたは大型化できるので、強い磁力を発生する磁気回路部になる。なお、コイル対向部材２３が、反射ミラー１０ａの母材の側面２５に配置されている場合であってもよい。
【００５７】
補助ヨーク部１４ａの反射ミラー１０ａは、側面視で直角三角形をなしており、全体がガラスまたは合成樹脂により一体形成され、その傾斜面が反射面になっている。コイル対向部材２３は、磁石により形成されて第２の永久磁石を構成している。
補助ヨーク基台２１は、磁性体により形成されて、第２の永久磁石のヨークとなっている。反射ミラー１０ａとコイル対向部材２３の一方または両方が、補助ヨーク基台２１に固着されている。
【００５８】
第５の実施例について図９，図１０を参照して説明する。
図９，図１０に示すように、光ピックアップ１ｄは可動部２を備え、可動部２には、フォーカスコイル８およびトラッキングコイル９と、対物レンズ４とが設けられている。フォーカスコイル８および／またはトラッキングコイル９への通電による励磁により可動部２を駆動して、光ディスクに対する対物レンズ４の位置を調整することができる。
【００５９】
光ピックアップ１ｄは、可動部２を移動可能に支持する複数の支持ワイヤ５と、支持台６と、主ヨーク部７と、補助ヨーク部（補助継鉄部）１４ｂとを備えている。補助ヨーク部１４ｂには、対物レンズ４に対して光を反射するための反射ミラー（いわゆる、立ち上げミラー）１０ｂが設けられている。
光ピックアップ１ｄは光学系を有しており、この光学系は、光源，反射ミラー１０ｂ，レンズ（対物レンズ４など），回折格子および光検出器などを有している。反射ミラー１０ｂの反射面は、対物レンズ４に対向してスペースＳＰに配置されている。
【００６０】
光ピックアップ１ｄでは、第１に、磁気回路部を構成するヨーク部を、主ヨーク部７と補助ヨーク部１４ｂとに分割し、第２に、この補助ヨーク部１４ｂが、反射ミラー１０ｂを保持するミラー保持部を兼用している。
補助ヨーク部１４ｂは、主ヨーク部７とは別体で構成されて磁気回路部の一部を構成している。補助ヨーク部１４ｂには、磁気回路部の一部を構成する第２の永久磁石とそのヨークが設けられている。
主ヨーク部７の第１の永久磁石１９およびそのヨーク７ａと、フォーカスコイル８およびトラッキングコイル９と、補助ヨーク部１４ｂに設けられた第２の永久磁石およびそのヨークとにより、対向磁気回路部が構成されている。
【００６１】
フォーカスコイル８に通電して励磁し、可動部２をフォーカス方向に移動させるときに、可動部２に対してフォーカス方向に作用する駆動（フォーカス駆動）の中心となる位置が、フォーカス駆動中心位置である。
一方、トラッキングコイル９に通電して励磁し、可動部２をトラッキング方向に移動させるときに、可動部２に対してトラッキング方向に作用する駆動（トラッキング駆動）の中心となる位置が、トラッキング駆動中心位置である。
上述のフォーカス駆動中心位置とトラッキング駆動中心位置の両方を代表する位置を、可動部２を移動させるための駆動中心Ｆ1としている。
【００６２】
本発明では、可動部２を移動させるための駆動中心Ｆ1と、対物レンズ４の中心（光軸Ｂ）との間の寸法Ｌを短くして、可動部２の剛性を高めている。その結果、高域の周波数帯における応答特性や感度を向上させることができ、また、光ピックアップ１ｄの全体を小型，軽量化することができる。
補助ヨーク部１４ｂは、光ピックアップ１ｄの基台となるピックアップベース２０に固定されている。このピックアップベース２０には他の光学系も配置されているので、反射ミラー１０ｂで反射して対物レンズ４に入射する光の光軸を高精度に設定することができる。
【００６３】
可動部２に設けられたフォーカスコイル８とトラッキングコイル９には、支持ワイヤ５を介してそれぞれ電流が供給される。フォーカスコイル８に電流を流せば、可動部２をフォーカス方向に移動させることができる。トラッキングコイル９に電流を流せば、可動部２をトラッキング方向に移動させることができる。
光ディスク装置（図示せず）に使用される光ピックアップ１ｄは、移動機構（図示せず）により、光ディスクの半径方向に制御されつつ移動可能になっている。光ディスク装置は、光ディスクを駆動モータで回転駆動するとともに、移動機構で所望の位置に光ピックアップ１ｄを移動させる。
そして、光ピックアップ１ｄは、光ディスクの記録面上に対物レンズ４で光（たとえば、レーザー光）を集光させて、光ディスクに対して情報の記録，再生などを行う。
【００６４】
反射ミラー１０ｂを支持する補助ヨーク部１４ｂは、主ヨーク部７とは別体で構成されており、補助ヨーク部１４ｂと主ヨーク部７が、互いに分離して設けられている場合を示している。
補助ヨーク部１４ｂを主ヨーク部７から分離して遮断しており、主ヨーク部７の可動部２の移動動作による振動などが補助ヨーク部１４ｂに直接伝わらないので、補助ヨーク部１４ｂに設けられた反射ミラー１０ｂやその他の光学系に悪影響を及ぼす恐れがない。
第２の永久磁石とそのヨークを補助ヨーク部１４ｂに設けることにより、第２の永久磁石とそのヨークのサイズを大きくすることができ、磁気回路部が強い磁力を発生する。
【００６５】
補助ヨーク部１４ｂは、磁性体により形成された補助ヨーク基台２１を有しており、この補助ヨーク基台２１がピックアップベース２０に取付けられている。補助ヨーク基台２１により、反射ミラー１０ｂが支持されている。
補助ヨーク部１４ｂでは、反射ミラー１０ｂを支持するミラー支持部材２２を、第２の永久磁石となる磁石により一体形成している。また、補助ヨーク部１４ｂの補助ヨーク基台２１が、磁性体により形成されて、第２の永久磁石のヨークとなっている。
こうして、本来は主ヨーク部７に設けるべき二つの永久磁石とそのヨークのうち、一つの永久磁石とそのヨークを、補助ヨーク部１４ｂに配置換えすることができる。
【００６６】
補助ヨーク部１４ｂでは、側面視で直角三角形をなす反射ミラーの母材の斜面部を研磨し、この斜面部にミラー蒸着膜を蒸着することにより、反射ミラー１０ｂを形成している。この反射ミラー母材が、反射ミラー１０ｂを支持するミラー支持部材２２に相当することになる。
この補助ヨーク部１４ｂではコイル対向部材を使用していないので、ミラー支持部材２２（すなわち、反射ミラー母材）は、磁石からなる第２の永久磁石を構成して、補助ヨーク基台２１に固着されている。補助ヨーク基台２１は、磁性体により形成されて第２の永久磁石のヨークになっている。この実施例では、コイル対向部材を省略できるので、補助ヨーク部１４ｂの部品点数が少なくなって構成を簡素化できる。
【００６７】
以上説明したとおり、上述の光ピックアップ１，１ａ〜１ｄは、可動部２を移動させるための駆動中心Ｆ1と対物レンズ４の中心との間の寸法Ｌが短いので、可動部２の剛性が高くなる。その結果、特に、高域の周波数帯における応答特性や感度が向上する。なお、低域の周波数帯においても応答特性や感度が良好である。
本発明者が光ピックアップ１について行なった実験では、寸法Ｌ（たとえば、従来はＬ＝５mm）を従来より１.３〜１.５mm短くして、寸法Ｌ＝３.７〜３.５mmとすることができ、その結果、４０〜６０KHzの高次周波数に対しても可動部２は十分に追従することを確認した。
【００６８】
近年の光ピックアップでは、高密度記録体の読み書きのために、低い周波数から高い周波数までの応答特性や感度の向上などの要求が急務となってきているが、本発明によれば、これらの要求を十分に満足することができる。
本発明では、反射ミラーと第２の永久磁石（または、反射ミラーと第２の永久磁石のヨーク）とを兼用できるので、光ピックアップ１，１ａ〜１ｄの全体のスペースを小さくして、小型軽量化することができる。
本発明の光ピックアップ１，１ａ〜１ｄでは、従来反射ミラーが配置されていたスペースＳＰを利用して、このスペースＳＰに補助ヨーク部１４（または、補助ヨーク部１４ａ，１４ｂ）を配置している。そして、従来のヨーク部に設けられていた永久磁石とそのヨークの一部を、補助ヨーク部に配置換えしている。その結果、主ヨーク部７を小型軽量化することができ、また、光ピックアップの全体も小型軽量化する。
【００６９】
以上、本発明の各実施例を説明したが、本発明は、上述の各実施例に限定されるものではなく、本発明の要旨の範囲で種々の変形，付加などが可能である。
なお、各図中同一符号は同一または相当部分を示す。
【産業上の利用可能性】
【００７０】
本発明は、ＤＶＤ，ＣＤなど光ディスクの記録面上に対物レンズでレーザー光などを集光させて情報の記録，再生などを行う光ディスク装置に取付けられる光ピックアップに適用される。
【図面の簡単な説明】
【００７１】
【図１】図１ないし図１０は本発明の実施例を示す図で、図１は、第１の実施例にかかる光ピックアップの斜視図である。
【図２】図２（Ａ）は、図１に示す光ピックアップの平面図、図２（Ｂ）は図２（Ａ）のII−II線断面図である。
【図３】第２の実施例にかかる光ピックアップの斜視図である。
【図４】図４（Ａ）は、図３に示す光ピックアップの平面図、図４（Ｂ）は図４（Ａ）のIV−IV線断面図である。
【図５】第３の実施例にかかる光ピックアップの斜視図である。
【図６】図６（Ａ）は、図５に示す光ピックアップの平面図、図６（Ｂ）は図６（Ａ）のVI−VI線断面図である。
【図７】第４の実施例にかかる光ピックアップの斜視図である。
【図８】図８（Ａ）は、図７に示す光ピックアップの平面図、図８（Ｂ）は図８（Ａ）のVIII−VIII線断面図である。
【図９】第５の実施例にかかる光ピックアップの斜視図である。
【図１０】図１０（Ａ）は、図９に示す光ピックアップの平面図、図１０（Ｂ）は図１０（Ａ）のＸ−Ｘ線断面図である。
【図１１】従来の光ピックアップの斜視図である。
【図１２】図１２（Ａ）は、図１１に示す光ピックアップの平面図、図１２（Ｂ）は図１２（Ａ）のＸII−ＸII線断面図である。
【符号の説明】
【００７２】
１，１ａ〜１ｄ    光ピックアップ
２    可動部
３    光ディスク
４    対物レンズ
５    支持ワイヤ
６    支持台
７    主ヨーク部
８    フォーカスコイル（コイル）
９    トラッキングコイル（コイル）
１０，１０ａ，１０ｂ    反射ミラー
１４，１４ａ，１４ｂ    補助ヨーク部
１９  第１の永久磁石
２２  ミラー支持部材
２３  コイル対向部材
２４  背面
２５  側面
【図１】
2006252625.tif 000003
【図２】
2006252625.tif 000004
【図３】
2006252625.tif 000005
【図４】
2006252625.tif 000006
【図５】
2006252625.tif 000007
【図６】
2006252625.tif 000008
【図７】
2006252625.tif 000009
【図８】
2006252625.tif 000010
【図９】
2006252625.tif 000011
【図１０】
2006252625.tif 000012
【図１１】
2006252625.tif 000013
【図１２】
2006252625.tif 000014